(57)【要約】【課題】例えば、全帯域のオーディオ信号を高品質で再生する。【解決手段】再生装置は、例えば、被取付面の第１の位置に取り付けられる取付部と、第１の帯域を有する第１のオーディオ信号に応じて、所定方向に向けて音響を再生するスピーカと、前記第１の帯域より低い帯域の第２の帯域を有する第２のオーディオ信号に応じて振動し、前記被取付面の第２の位置に当接する当接面を有する振動部とが取り付けられる筐体を備える。【選択図】図３
2014093597.tif 000002
【特許請求の範囲】
【請求項１】
被取付面の第１の位置に取り付けられる取付部と、
第１の帯域を有する第１のオーディオ信号に応じて、所定方向に向けて音響を再生するスピーカと、
前記第１の帯域より低い帯域の第２の帯域を有する第２のオーディオ信号に応じて振動し、前記被取付面の第２の位置に当接する当接面を有する振動部と
が取り付けられる筐体を備える再生装置。
【請求項２】
前記被取付面は、車両のダッシュボードの表面であり、
前記スピーカにより前記車両のフロントガラスに向けて音響が再生される
請求項１に記載の再生装置。
【請求項３】
前記第１の位置および前記第２の位置は、前記被取付面において近接する位置である
請求項１に記載の再生装置。
【請求項４】
前記振動部に接続されるケーブルを備え、
前記振動部の前記当接面が前記第１の位置と離隔する前記第２の位置に当接する
請求項１に記載の再生装置。
【請求項５】
前記第１の位置は、車両のダッシュボードの略中央の表面であり、
前記第２の位置は、前記車両のダッシュボードの表面において、該ダッシュボードに形成される収納空間の近傍の表面である
請求項４に記載の再生装置。
【請求項６】
前記第２のオーディオ信号が前記収納空間により増幅されて再生される
請求項５に記載の再生装置。
【請求項７】
前記ケーブルが前記筐体の内側に収納可能とされる請求項４に記載の再生装置。
【請求項８】
前記当接面の位置を調節する調節部を備える
請求項１に記載の再生装置。
【請求項９】
前記当接面が前記第２の位置に当接した際の前記被取付面からの応力に応じて、前記振動部が変位する
請求項１に記載の再生装置。
【請求項１０】
前記スピーカに対して前記第１のオーディオ信号を供給し、前記振動部に対して前記第２のオーディオ信号を供給する制御部を備える
請求項１に記載の再生装置。
【請求項１１】
前記制御部は、携帯端末から供給されるオーディオ信号に所定の信号処理を施すことにより前記第１のオーディオ信号および前記第２のオーディオ信号を生成する
請求項１０に記載の再生装置。
【請求項１２】
前記筐体は、前記取付部に着脱自在に取り付けられる請求項１に記載の再生装置。
【発明の詳細な説明】
【技術分野】
【０００１】
本開示は、再生装置に関する。
【背景技術】
【０００２】
車両に備え付けられるスピーカとは異なるスピーカを使用して、音声を再生する提案がなされている。例えば、特許文献１には、車両のダッシュボード上に載置したスピーカをセンタースピーカとして使用し、当該センタースピーカから音声を再生する技術が記載されている。
【先行技術文献】
【特許文献】
【０００３】
【特許文献１】特開２００６−１８６９２５号公報
【発明の概要】
【発明が解決しようとする課題】
【０００４】
車両のダッシュボード上に載置可能な小型のスピーカでは、特に低音を十分に再生することができないという問題があった。さらに、小型のスピーカを使用し、聴取者に向けて音声を再生した場合に、臨場感ある音場の提供が困難であるという問題があった。
【０００５】
したがって、本開示の目的の一つは、上記問題点を解決する再生装置を提供することにある。
【課題を解決するための手段】
【０００６】
上述した課題を解決するために、本開示は、例えば、
被取付面の第１の位置に取り付けられる取付部と、
第１の帯域を有する第１のオーディオ信号に応じて、所定方向に向けて音響を再生するスピーカと、
第１の帯域より低い帯域の第２の帯域を有する第２のオーディオ信号に応じて振動し、被取付面の第２の位置に当接する当接面を有する振動部と
が取り付けられる筐体を備える再生装置である。
【発明の効果】
【０００７】
少なくとも一つの実施形態によれば、低域から中高音域まで、オーディオ信号を高品質に再生することができる。
【図面の簡単な説明】
【０００８】
【図１】第１の実施形態の概要を説明するための図である。
【図２】第１の実施形態における再生装置の外観の一例を説明するための斜視図である。
【図３】第１の実施形態における再生装置の構成の一例を説明するための分解斜視図である。
【図４】第１の実施形態における再生装置の外観の一例を説明するための平面図である。
【図５】第１の実施形態における再生装置の外観の一例を説明するための正面図である。
【図６】第１の実施形態における再生装置の外観の一例を説明するための背面図である。
【図７】第１の実施形態における再生装置の外観の一例を説明するための右側面図である。
【図８】第１の実施形態における再生装置の外観の一例を説明するための左側面図である。
【図９】第１の実施形態における再生装置の外観の一例を説明するための底面図である。
【図１０】第１の実施形態における再生装置の外観の一例を説明するための底面側の斜視図である。
【図１１】第１の実施形態における再生装置から振動ユニットおよび吸盤を除いた構成の外観の一例を説明するための底面側の斜視図である。
【図１２】ＡおよびＢは、第１の実施形態における再生装置の断面の一例を説明するための図である。
【図１３】吸盤の一例を説明するための斜視図である。
【図１４】Ａ，ＢおよびＣは、吸盤の取付方法の一例を説明するための図である。
【図１５】位置調節部の一例を説明するための図である。
【図１６】ＡおよびＢは、位置調節部の他の例を説明するための図である。
【図１７】再生装置の電気的な構成の一例を説明するためのブロック図である。
【図１８】携帯端末の電気的な構成の一例を説明するためのブロック図である。
【図１９】再生装置と携帯端末との間でなされるペアリング処理の一例を説明するためのシーケンス図である。
【図２０】第２の実施形態の概要を説明するための図である。
【図２１】第２の実施形態における再生装置の外観の一例を示す斜視図である。
【発明を実施するための形態】
【０００９】
以下、本開示の実施形態について図面を参照しながら説明する。説明は以下の順序で行う。
＜１．第１の実施形態＞
＜２．第２の実施形態＞
＜３．変形例＞
なお、以下に説明する実施形態等は本開示の好適な具体例であり、本開示の内容がこれらの実施形態等に限定されるものではない。さらに、以下の説明において、説明の便宜を考慮して上下左右等の方向を規定する表現を使用するが、本開示の内容がそれらの方向に限定されるものではない。
【００１０】
＜１．第１の実施形態＞
「実施形態の概要」
始めに、本開示の第１の実施形態の概要について説明する。実施形態において例示される再生装置は、例えば、自動車等の車両の内部に取り付けられる。図１は、車両の内部の主要な構成の一例を示す。車両の内部には、運転席１０および助手席１１（これらを総称して前席と称する場合がある）が配設されている。前席の正面におけるフロントガラス１２の下側には、ダッシュボード１３が配設されている。ダッシュボード１３の表面が被取付面の一例とされる。
【００１１】
なお、フロントガラスは、フロントウィンドウなどと称される場合もある。さらに、ダッシュボードは、インストルメントパネルなどと称される場合もある。実施形態におけるダッシュボード１３は、運転席１０の前方から助手席１１の前方にわたって形成されるものであり、その名称は問わない。
【００１２】
ダッシュボード１３には、計器類等が配設される。主要な構成の一例を示せば、ダッシュボード１３の運転席１０の正面には、速度メータやタコメータ等の計器類１３ａが配設される。ダッシュボード１３の中央には、エアーコンディショナーやオーディオ再生を行うための操作入力部１３ｂが配設される。
【００１３】
助手席１１の前方におけるダッシュボード１３の内部には、収納空間の一例であるグローブボックス１３ｃが形成される。ダッシュボード１３に配設されるレバー１３ｄを引きながら、ダッシュボード１３の一部を例えば、下方に向かって移動することによりグローブボックス１３ｃが顕出する。グローブボックス１３ｃには、車両の取扱説明書などが収納される。ダッシュボード１３の一部は、平面（車両の底面と略平行な面）とされている。この平面を、適宜、平面部１３ｅと称する。
【００１４】
運転席１０と助手席１１との間には、シフトレバー１４が配設されている。シフトレバー１４の近傍には、シガーソケット１５が配設され、シガーソケット１５に接続される機器に対して、車両システムから電力が供給可能とされる。
【００１５】
平面部１３ｅにおけるダッシュボード１３の略中央に、再生装置１００が取り付けられる。例えば、取付部の一例である吸盤が平面部１３ｅに取り付けられ、吸盤と再生装置１００の筐体とが係合されることにより、再生装置１００がダッシュボード１３の略中央に取り付けられる。再生装置１００の使用後は、再生装置１００の筐体と吸盤との係合が解除され、再生装置１００の筐体が吸盤から取り外される。そして、吸盤が平面部１３ｅから取り外される。
【００１６】
再生装置１００は、例えば吸盤を使用することによりダッシュボード１３の表面に着脱自在とされ、その大きさは、ユーザが可搬可能な程度とされる。再生装置１００は、例えば、Ｌ(Left)チャンネルおよびＲ(Right)チャンネルのそれぞれに対応する２個のスピーカを有する。２個のスピーカは、例えば、中高音域のオーディオ信号に応じて動作し、フロントガラス１２に向けて音響を再生する。再生されたオーディオがフロントガラス１２により反射し、ドライバ等の聴取者に再生される。フロントガラス１２の反響により、広がり感をもった音響の再生がなされ、臨場感のある音場を聴取者に提供できる。
【００１７】
さらに、再生装置１００は、例えば、磁石とコイルとからなる振動ユニットを有し、振動ユニットの一面（当接面）がダッシュボード１３の表面の一部に当接する。振動ユニットは、低域のオーディオ信号に応じて振動する。振動ユニットの振動がダッシュボード１３に伝達され、ダッシュボード１３が振動する。ダッシュボード１３の振動により空気の振動が発生し、それにともなう低域のオーディオが聴取者に再生される。ダッシュボード１３をあたかもスピーカのエンクロージャとして使用することにより、小型のスピーカでは十分に再生できない低域のオーディオを再生できる。図１（後述の図２０も同様）では、オーディオの再生が、ハッチングが付された矢印等により模式的に示されている。
【００１８】
ドライバ等の聴取者に対して再生されるオーディオのオーディオ信号は、例えば、携帯端末２００から再生装置１００に供給される。携帯端末２００と再生装置１００とが所定の近距離無線の通信方式で接続され、携帯端末２００から再生装置１００に対してオーディオ信号が供給される。この例では、所定の近距離無線の通信方式を「Ｂｌｕｅｔｏｏｔｈ（登録商標）」として説明する。「Ｚｉｇｂｅｅ（登録商標）」や「Ｗｉ  Ｆｉ（登録商標）」による通信などが使用されてもよい。もちろん、無線に限定されることはなく、携帯端末２００と再生装置１００とが有線により接続され、有線を介してオーディオ信号が伝送されてもよいが、配線が不要な無線による接続のほうが好ましい。
【００１９】
なお、例えば、再生装置１００に対してＵＳＢメモリ等のメモリが着脱自在とされ、メモリに記憶されているオーディオ信号に対して再生処理が行われる構成としてもよい。インターネットを介してオーディオ信号が供給され、供給されたオーディオ信号に再生処理が行われる構成としてもよい。
【００２０】
再生装置１００に対して、例えば、車両の電力システムからの給電がなされる。再生装置１００が有する電力ケーブル（図示は省略している）がシガーソケット１５に接続され、再生装置１００に対する給電がなされる。再生装置１００は、例えば、充電可能な二次電池を有し、車両システムから供給される電力により二次電池が充電される。二次電池に限らず、一次電池や太陽電池により再生装置１００が動作するようにしてもよい。
【００２１】
携帯端末２００は、携帯電話、スマートフォン、携帯オーディオプレーヤ、タブレット型のコンピュータなどである。携帯端末２００は、例えば、所定の取付部材を使用して、ダッシュボード１３の略中央に取り付けされる。なお、携帯端末２００は、必ずしもダッシュボード１３に取り付けられる必要はなく、ユーザによって所持されていてもよい。
【００２２】
携帯端末２００に内蔵または着脱自在とされるメモリには、複数のオーディオ信号が記憶される。上述したように、複数のオーディオ信号の全てまたは一部が再生装置１００に対して供給され、再生装置１００により再生される。
【００２３】
「再生装置の概要について」
次に、再生装置１００の一例について説明する。図２は、再生装置１００の外観の一例を示す斜視図である。再生装置１００は、上面１０１ａ，底面１０１ｂおよび周面１０１ｃからなる筐体１０１を有する。筐体１０１の上面１０１ａは、例えば、傾斜をなすように構成され、この傾斜により底面に対する高低差が生じる。再生装置１００を使用する際は、上面１０１ａとフロントガラス１２が略平行となるようにして筐体１０１がダッシュボード１３に取り付けられる。
【００２４】
上面１０１ａの低い側の端部付近に、Ｌチャンネル用のスピーカ１０２ａ、Ｒチャンネル用のスピーカ１０２ｂが取り付けられる。各スピーカの機構が筐体１０１の内部に収納される。スピーカ１０２ａおよびスピーカ１０２ｂが取り付けられた状態では、筐体１０１の内部はスピーカと同様に密閉される。なお、バスレフ型のスピーカのように、低音を増強するための孔（ダクト）が筐体１０１の所定箇所に形成されてもよい。さらに、低音を増強するためのパッシブラジエータが上面１０１ａに取り付けられてもよい。例えば、スピーカ１０２ａとスピーカ１０２ｂとの間にパッシブラジエータが取り付けられてもよい。再生装置１００がダッシュボード１３に取り付けられると、スピーカ１０２ａおよびスピーカ１０２ｂがフロントガラス１２に向かうように配される。
【００２５】
なお、以下の説明において、筐体１０１により形成される密閉された空間を筐体１０１の内部と称する。また、筐体１０１を構成する各面により区画された空間のうち、筐体１０１の内側の空間を筐体１０１の内側と称し、外側を筐体１０１の外側と称する。筐体１０１の内側には、上述の密閉された空間のほか、後述の振動ユニットを収納する空間や吸盤を筐体１０１に取り付けるための機構が配される。
【００２６】
筐体１０１の周面１０１ｃの所定箇所から電力ケーブル１０７が延伸する。電力ケーブル１０７の一端は再生装置１００の電源部に接続される。再生装置１００の電源部は、例えば、充電可能な二次電池であり、再生装置１００の電気的な構成に対し電力を供給するものである。電力ケーブル１０７の他端（先端）には、ソケット１０８が取り付けられている。ソケット１０８が、シガーソケット１５に対して取り付けられ、車両システムから再生装置１００に対する給電がなされる。
【００２７】
筐体１０１は、取付部の一例である吸盤１０３に取り付けられる。吸盤１０３は、筐体１０１に着脱自在とされ、例えば、ダッシュボード１３の略中央に取り付けられる。吸盤１０３のダッシュボード１３への取付方法の一例は後述する。ダッシュボード１３に取り付けられた吸盤１０３に対して筐体１０１を上方から押下する、もしくは、スライドさせる等により、吸盤１０３の一部が筐体１０１の内側に取り付けられる。
【００２８】
「再生装置の構成について」
図３は、再生装置１００の分解斜視図である。なお、以下の説明における図３等では、電力ケーブル１０７およびソケット１０８の図示を適宜、省略している。筐体１０１の、例えば、上面１０１ａおよび周面１０１ｃは一体的に構成される。上面１０１ａに、開口１０１ｄおよび開口１０１ｅが形成される。スピーカ１０２ａおよびスピーカ１０２ｂが取り付けられることにより、開口１０１ｄおよび開口１０１ｅが閉塞される。周面１０１ｃには、吸盤１０３の形状に対応して開口１０１ｆが形成される。吸盤１０３の形状によっては開口１０１ｆが必ずしも形成される必要はない。
【００２９】
一体的に構成される上面１０１ａおよび周面１０１ｃに対して、底面１０１ｂが例えば、ビスを使用して取り付けられる。スピーカ１０２ａおよびスピーカ１０２ｂが取り付けられ、さらに、底面１０１ｂが取り付けられることにより筐体１０１が密閉される。なお、図示は省略しているが、筐体１０１の内部には、オーディオ信号に対する処理等を行う電気的な構成が収納される。再生装置１００の電気的な構成の詳細は、後述する。
【００３０】
筐体１０１の内側には、振動ユニット１２０を収納する収納部が形成される。振動ユニット１２０は、例えば、略円柱形状とされ、一般的なスピーカにおけるボイスコイルとして機能するものである。振動ユニット１２０に対してオーディオ信号の低域成分が供給され、低域のオーディオ信号に応じて振動ユニット１２０が振動する。筐体１０１の底面１０１ｂには、振動ユニット１２０の形状に対応して略円形の切欠１１０が形成されている。切欠１１０およびその上方の空間からなる収納部に振動ユニット１２０が収納され、振動可能な程度でもって固定される。切欠１１０を介して振動ユニット１２０の底面（当接面）がダッシュボード１３の表面に当接する。
【００３１】
さらに、筐体１０１には、筐体１０１の内側において吸盤１０３の一部を収納し、筐体１０１に対して吸盤１０３を装着するための装着部１１１が形成される。装着部１１１は、例えば、底面１０１ｂに形成される略半円状の切欠１１１ａと、底面１０１ｂと連続的に形成され、底面１０１ｂから上方に向かって形成される凹部１１１ｂとからなる。凹部１１１ｂは若干、変形可能とされ、その大きさは、後述する吸盤１０３の凸部１０３ｂと略同様の大きさとされる。なお、振動ユニット１２０を収納する収納部および吸盤１０３を装着するため装着部１１１は、筐体１０１により形成される密閉空間とは異なる空間である。
【００３２】
吸盤１０３は、略円形の基台１０３ａ，基台１０３ａの端部付近から上方に向かって突出する凸部１０３ｂ，基台１０３ａの略中央から上方に向かって植立する中心軸１０３ｃ，中心軸１０３ｃの先端に結合されるロックレバー１０３ｄ，基台１０３ａの底面に形成される吸着層１０３ｅを含む構成とされる。吸着層１０３ｅがダッシュボード１３の表面の所定位置に密着することにより、吸盤１０３がダッシュボード１３に取り付けられる。なお、吸盤１０３の詳細については後述する。
【００３３】
吸盤１０３の凸部１０３ｂを筐体１０１の内側の凹部１１１ｂに所定の圧力でもって挿入することにより、筐体１０１および吸盤１０３を係合させる。一例として、始めに吸盤１０３をダッシュボード１３に取り付けた後に、上方から筐体１０１を被せるようにして凹部１１１ｂに凸部１０３ｂを挿入する。筐体１０１をスライドさせて、凹部１１１ｂに凸部１０３ｂを挿入するようにしてもよい。凸部１０３ｂが凹部１１１ｂに挿入された状態では、筐体１０１と吸盤１０３とが所定の強度をもって係合する。
【００３４】
図４は、再生装置１００の平面図である。上述したように、筐体１０１の上面１０１ａには、スピーカ１０２ａおよびスピーカ１０２ｂが取り付けられている。さらに、吸盤１０３が筐体１０１に装着されている。
【００３５】
図５は、再生装置１００の正面図である。筐体１０１の底面１０１ｂに形成される切欠１１１ａの径は、基台１０３ａの径と略同様の大きさとされる。切欠１１１ａを介して吸着層１０３ｅが下方に向かって露出し、吸着層１０３ｅの底面がダッシュボード１３等の被取付面に密着する。
【００３６】
図６は、再生装置１００の背面図である。筐体１０１の周面１０１ｃの背面側には、振動ユニット１２０を収納する収納空間と連通する開口１０１ｇが形成される。さらに、周面１０１ｃの背面側の略中央には孔１０１ｈが形成されており、孔１０１ｈから電力ケーブル１０７が延伸する。筐体１０１の内側に収納される振動ユニット１２０は、例えば、略円形のゴムシート１２１が底面に取り付けられている。ゴムシート１２１は、被取付面に対してゴムシート１２１の底面を均一に設置するための部材である。一定の弾性を有する部材であれば、必ずしもゴムシートに限定されることはない。
【００３７】
ゴムシート１２１が振動ユニット１２０に取り付けられる場合には、ゴムシート１２１の底面が当接面とされる。当接面とは、例えば、振動ユニット１２０が被取付面と接触する面を意味する。ゴムシート１２１が取り付けられない場合には、振動ユニット１２０の底面が当接面とされる。
【００３８】
図７は再生装置１００の右側面図であり、図８は再生装置１００の左側面図である。図７および図８により図示される構成は、既に説明してあるため、重複した説明を省略する。
【００３９】
図９は、再生装置１００の底面図である。筐体１０１の底面１０１ｂが参照符号１２２により示される複数のビスを使用して、上面１０１ａおよび周面１０１ｃに対して固定される。底面１０１ｂに形成される略円形の切欠１１０を介して、振動ユニット１２０の底面および当該底面に取り付けられるゴムシート１２１の底面が露出する。また、底面１０１ｂに形成される切欠１１１ａ等を介して、吸盤１０３の吸着層１０３ｅの底面が露出する。吸着層１０３ｅの底面がダッシュボード１３の表面の第１の位置に密着するように吸盤１０３が取り付けられる。さらに、ゴムシート１２１の底面がダッシュボード１３の表面の第２の位置に当接する。第１および第２の位置は、例えば、ダッシュボード１３における近接した位置である。
【００４０】
図１０は、再生装置１００の底面側からみた斜視図である。図１１は、振動ユニット１２０および吸盤１０３を取り除いた再生装置１００の底面側からみた斜視図である。図１１に示す状態において、筐体１０１の内部にエンクロージャとして機能する密閉空間が形成される。なお、底面１０１ｂにゴムリング等の緩衝部材が取り付けられてもよい。
【００４１】
図１２Ａにおける切断線Ａ−Ａにより切断した場合の断面の一例を図１２Ｂに示す。上面１０１ａおよび周面１０１ｃの内壁により振動ユニット１２０を収納する収納部が形成される。振動ユニット１２０は収納部において振動可能なように収納される。さらに、凹部１１１ｂには、吸盤１０３の凸部１０３ｂが挿入される。なお、凹部１１１ｂに対して凸部１０３ｂが挿入された状態では、振動ユニット１２０の振動により凸部１０３ｂが凹部１１１ｂから抜けない程度の強度でもって、吸盤１０３および筐体１０１が係合する。
【００４２】
振動ユニット１２０が筐体１０１の内側の収納部に収納された状態では、振動ユニット１２０の当接面が底面１０１ｂよりやや下方となるように配される。筐体１０１が所定箇所に載置された状態では、振動ユニット１２０の当接面がダッシュボード１３の表面に当接する。
【００４３】
以上、再生装置１００の構成について説明したが、上述した再生装置１００は例示であり、適宜、その構成について変更することができる。例えば、再生装置１００の筐体１０１、振動ユニット１２０、吸盤１０３等の形状は適宜、変更できる。また、吸盤１０３に対して筐体１０１を取り付ける機構等についても適宜、変更することができる。
【００４４】
「吸盤について」
図１３は、吸盤１０３の外観の一例を示す。なお、図１３は、吸盤１０３の吸着層１０３ｅがダッシュボード１３等に取り付けられた状態の外観を示している。吸盤１０３の主要な構成について説明する。吸盤１０３は、例えば、略円盤状とされる基台１０３ａを有する。基台１０３ａは、例えば、弾性を有する合成樹脂材料により構成される。合成樹脂材料として、ウレタン系、スチレン系、シリコン樹脂系などが例示される。
【００４５】
基台１０３ａの底面には、例えば、ゲル層なる吸着層１０３ｅが形成されている。吸着層１０３ｅを構成するゲルとして、ポリエチレン系、スチレン系、シリコン樹脂系などの合成樹脂系のゲルが使用可能である。基台１０３ａおよび吸着層１０３ｅは、外部から印加される力により変形する。
【００４６】
吸盤１０３は、基台１０３ａの端部付近から上方に向かって突出する凸部１０３ｂを有する。上述したように、凸部１０３ｂは、筐体１０１の内側に形成される凹部１１１ｂに挿入される。
【００４７】
基台１０３ａの略中央から上方に向かって、中心軸１０３ｃが植立する。中心軸１０３ｃは、金属製あるいは硬質の合成樹脂などの剛性を有する部材からなる。中心軸１０３ｃの略先端には、ロックレバー１０３ｄが形成される。ロックレバー１０３ｄは、軸方向に移動不能とされ、かつ、中心軸１０３ｃの周方向において初期位置とロック位置との間で回転可能なように、中心軸１０３ｃに結合される。
【００４８】
「再生装置の取付方法について」
次に、再生装置１００の取付方法について説明する。なお、通常の使用では、筐体１０１は密閉され、筐体１０１の内側に振動ユニット１２０が収納されている。ユーザは、振動ユニット１２０が収納された筐体１０１と、吸盤１０３とを、例えば、車両に搬入する。
【００４９】
再生装置１００は、被取付面の一例である車両のダッシュボード１３の表面に取り付けられる。なお、再生装置１００が取り付けられる箇所はダッシュボードの表面に限らず、机の表面などでもよい。但し、再生装置１００を安定して取り付けるために、被取付面が平坦な面に取り付けられることが好ましい。
【００５０】
始めに、吸盤１０３がダッシュボード１３の表面に取り付けられる。ダッシュボード１３の表面へ吸盤１０３を取り付ける方法の一例について、図１４Ａ〜図１４Ｃを参照して説明する。図１４Ａに示すように、取付前の吸盤１０３は、厚み方向の一方の面が凸状とされ、吸着側の面が凹状とされる。
【００５１】
図１４Ａに示すように、ダッシュボード１３の表面に吸盤１０３を載置する。吸盤１０３の吸着層１０３ｅとダッシュボード１３の表面との間に空間Ｓが形成される。なお、この状態では、ロックレバー１０３ｄは初期位置に配される。
【００５２】
図１４Ｂに示すように、ロックレバー１０３ｄの上面を押下する。これにより、基台１０３ａおよび吸着層１０３ｅが変形し、吸着層１０３ｅの底面（吸着面）とダッシュボード１３の表面とが密着する。吸着層１０３ｅの吸着面とダッシュボード１３の表面とが密着することにより、空間Ｓ内の空気が空間Ｓの外部に排出される。
【００５３】
図１４Ｃに示すように、ロックレバー１０３ｄを初期位置からロック位置へと回転させる操作がなされる。この操作に応じて、基台１０３ａおよび吸着層１０３ｅの一部が持ち上げられるように変形し、吸着層１０３ｅとダッシュボード１３との間に空間Ｓが形成される。上述したように、空気が既に排出されていることから、空間Ｓは略真空状態となる。空間Ｓと空間Ｓの外部との気圧差により、吸盤１０３がダッシュボード１３の表面に密着する。
【００５４】
次に、ダッシュボード１３の表面に取り付けた吸盤１０３に対して筐体１０１を取り付ける。例えば、筐体１０１の内側に形成されている凹部１１１ｂと吸盤１０３の凸部１０３ｂとを互いに位置決めし、筐体１０１を吸盤１０３に押し込み、凹部１１１ｂに凸部１０３ｂを挿入する。
【００５５】
凹部１１１ｂに凸部１０３ｂが挿入されることにより、筐体１０１と吸盤１０３とが所定の強度をもって係合する。所定の強度とは、例えば、振動ユニット１２０が低域のオーディオ信号に応じて振動した際に、筐体１０１と吸盤１０３との係合状態が維持できる程度の強度を意味する。筐体１０１と吸盤１０３とが所定の強度をもって係合するため、振動ユニット１２０の振動にともなって再生装置１００がダッシュボード１３上を移動してしまうことを防止できる。
【００５６】
「位置調節機構について」
ところで、再生装置１００をダッシュボード１３の表面に取り付けた場合に、振動ユニット１２０による振動を確実にダッシュボード１３に伝達する必要がある。ダッシュボード１３の形状によっては、被取付面に窪みや曲面が存在する場合もある。このため、振動ユニット１２０の当接面をダッシュボード１３の表面に確実に当接させる必要がある。この点を考慮して、振動ユニット１２０の高さを調節する位置調節機構が再生装置１００に設けられてもよい。振動ユニット１２０の高さを調節することにより、ダッシュボード１３の表面と略直交する方向における当接面の位置を調節できる。
【００５７】
図１５に示すように、例えば、筐体１０１の内側に収納された振動ユニット１２０（ゴムシート１２１を含む）の高さを調節するレバー４０が設けられる。なお、図１５および後述する図１６では筐体１０１の断面を点線で簡略化して示すとともに、吸盤１０３等の図示を省略している。
【００５８】
レバー４０は、例えば、上下方向にスライド可能とされる。ユーザは、レバー４０をスライドさせることにより振動ユニット１２０の上下方向の位置を調節し、振動ユニット１２０の当接面（この例では、ゴムシート１２１の底面）をダッシュボード１３の表面に確実に当接することができる。このため、振動ユニット１２０による振動がダッシュボード１３に確実に伝達される。
【００５９】
図１６Ａに示すように、例えば、振動ユニット１２０がスプリング等の伸縮可能な弾性部材を介して、筐体１０１の内壁に取り付けられてもよい。例えば、筐体１０１の内部に板状の取付部材４２が設けられる。取付部材４２に対して振動ユニット１２０の上部がスプリング４３およびスプリング４４を介して取り付けられる。この状態では、振動ユニット１２０の当接面は、吸盤１０３の吸着層１０３ｅの底面よりやや下方となる位置に配される。
【００６０】
図１６Ｂに示すように、ダッシュボード１３の表面に取り付けられた吸盤１０３に対して筐体１０１が取り付けられる。このとき、振動ユニット１２０の当接面には、ダッシュボード１３からの応力が印加される。印加される応力に応じて、スプリング４３およびスプリング４４が縮み、振動ユニット１２０が上方に移動して停止する。振動ユニット１２０は、振動ユニット１２０の当接面がダッシュボード１３の表面に確実に当接した状態で停止する。ユーザが振動ユニット１２０の位置を調節する必要はない。なお、スプリング４３およびスプリング４４は、例えば、ゴム状の部材など、他の部材であってもよい。
【００６１】
「再生装置の電気的な構成について」
図１７は、再生装置１００の電気的な構成の一例を示す。以下に説明する電気的な構成は、筐体１０１の内部に収納される。再生装置１００は、例えば、制御部５０、オーディオ入力部５１、通信部５２、電力入力部５３、ＰＭＩＣ(Power Management Integrated Circuit)５４、バッテリ５５、操作部５６、発光部５７、２チャンネル（ｃｈ）のデジタルアンプ５８および１チャンネルのデジタルアンプ５９を有する。制御部５０は、例えば、ＢＴ(Ｂｌｕｅｔｏｏｔｈの略称)モジュール６０、セレクタ６１、ハイパスフィルタ（適宜、ＨＰＦと称する）６２、オーディオ処理部６３、変換部６４、ローパスフィルタ（適宜、ＬＰＦと称する）６５およびオーディオ処理部６６を有する。
【００６２】
制御部５０は、マイクロコンピュータやＤＳＰ(Digital Signal Processor)、ＣＰＵ(Central Processing Unit)などから構成される。複数のマイクロコンピュータ等により、制御部５０が構成されてもよい。制御部５０は、再生装置１００の各部を制御する。例えば、制御部５０は、外部の機器から供給されるオーディオ信号に対する処理およびＢｌｕｅｔｏｏｔｈに関する処理を含む処理を制御する。なお、図示を省略しているが、制御部５０が実行するプログラムが格納されるＲＯＭ(Read Only Memory)や、ワークエリア等として使用されるＲＡＭ(Random Access Memory)が制御部５０に対して接続される。
【００６３】
制御部５０の各部について説明する。ＢＴモジュール６０は、Ｂｌｕｅｔｏｏｔｈに関する処理を含む処理を実行する。ＢＴモジュール６０は、例えば、後述する携帯端末２００とのペアリング処理や、ペアリングが確立した後のオーディオ信号の伝送に関する制御を行う。ＢＴモジュール６０は、通信部５２と接続されており、通信部５２を介して、携帯端末２００とデータやコマンドの送受信を行う。
【００６４】
セレクタ６１は、オーディオ入力部５１および通信部５２のそれぞれに対してのオーディオ入力のうち、いずれかのオーディオ入力を選択する。セレクタ６１により選択されたオーディオ信号がＨＰＦ６２および変換部６４のそれぞれに供給される。
【００６５】
ＨＰＦ６２は、オーディオ信号の中高域成分を抽出する。例えば、可聴帯域の周波数成分のうち、１０００Ｈｚ（ヘルツ）以上の成分を抽出する。中高域のオーディオ信号がオーディオ処理部６３に供給される。
【００６６】
オーディオ処理部６３は、ＨＰＦ６２から供給されるオーディオ信号に対して各種の信号処理を行う。オーディオ処理部６３は、例えば、ＨＰＦ６２から供給されるオーディオ信号をアナログ信号からデジタル信号に変換する処理、デジタル信号に変換されたオーディオ信号に対する位相調整処理，エフェクト処理，イコライジング処理などを実行する。オーディオ処理部６３により処理が施されたオーディオ信号がデジタルアンプ５８に供給される。
【００６７】
デジタルアンプ５８は、供給されるオーディオ信号を所定の増幅率でもって増幅する。なお、アンプは、デジタルアンプに限らずアナログアンプでもよい。増幅されたＬチャンネルのオーディオ信号がアナログ信号へと変換される。アナログのオーディオ信号がスピーカ１０２ａに供給され、再生される。増幅されたＲチャンネルのオーディオ信号がアナログ信号へと変換される。アナログのオーディオ信号がスピーカ１０２ｂに供給され、再生される。
【００６８】
変換部６４は、セレクタ６１から供給される２チャンネルのステレオ信号を１チャンネルのモノラル信号に変換する。モノラル信号へと変換されたオーディオ信号がＬＰＦ６５に供給される。ＬＰＦ６５は、変換部６４から供給されるオーディオ信号の低域成分を抽出する。例えば、オーディオ信号の１０００Ｈｚより低い周波数成分を抽出する。ＬＰＦ６５により抽出されたオーディオ信号がオーディオ処理部６６に出力される。
【００６９】
オーディオ処理部６６は、ＬＰＦ６５から供給されるオーディオ信号に対して各種の信号処理を行う。オーディオ処理部６６は、例えば、ＬＰＦ６５から供給されるオーディオ信号をアナログ信号からデジタル信号に変換する処理、デジタル信号に変換されたオーディオ信号に対する位相調整処理，エフェクト処理，イコライジング処理などを実行する。オーディオ処理部６６により処理が施されたオーディオ信号がデジタルアンプ５９に供給される。
【００７０】
デジタルアンプ５９は、供給されるオーディオ信号を所定の増幅率でもって増幅する。なお、アンプは、デジタルアンプに限らずアナログアンプでもよい。デジタルアンプ５９により増幅された低域のオーディオ信号が振動ユニット１２０に供給される。振動ユニット１２０は、供給されるオーディオ信号に応じて振動する。振動ユニット１２０の振動に伴って、振動ユニット１２０が取り付けられたダッシュボード１３が振動する。
【００７１】
制御部５０以外の構成について説明する。オーディオ入力部５１は、例えば、ケーブルプラグが挿入される孔であり、筐体１０１の表面に配設される。携帯端末２００からケーブルを介してオーディオ信号が供給される場合には、オーディオ入力部５１が使用される。
【００７２】
通信部５２は、携帯端末２００等と通信を行うための構成であり、一部が筐体１０１から外部に向かって露出している。通信部５２は、例えば、アンテナを含む。通信を行うための処理（例えば、変復調処理やエラー訂正処理など）は、通信部５２により行われてもよく、制御部５０のＢＴモジュール６０により行われてもよい。
【００７３】
電力入力部５３は、上述した電力ケーブル１０７およびソケット１０８に対応する。電力入力部５３に対して、車両システムから供給される電力が供給される。例えば、車両システムから１２Ｖの電圧が電力入力部５３に供給される。供給された電圧は、ＰＭＩＣ５４に供給される。
【００７４】
ＰＭＩＣ５４は、電力に関する制御を実行する。例えば、電力入力部５３から供給される電圧をバッテリ５５が対応する電圧に変換する。さらに、ＰＭＩＣ５４は、バッテリ５５に対応した充電，放電方式により、バッテリ５５の充放電を制御する。
【００７５】
バッテリ５５は、例えば、充電可能な二次電池である。バッテリ５５が一次電池や太陽電池、あるいは、二次電池や太陽電池等を組み合わせたものであってもよい。バッテリ５５から再生装置１００の各部に対して電力が供給される。
【００７６】
操作部５６は、スイッチ、ボタン等の操作入力部を総称したものである。操作部５６は、例えば、電源ボタンや音量を調整するボタン、後述するペアリングを確立するために操作されるボタン等である。操作部５６は、再生装置１００に対して遠隔操作が可能なリモートコントロール装置により構成されてもよい。車両の運転の安全性を確保するために、再生装置１００に対してドライバの音声による指示が可能とされた構成でもよい。
【００７７】
操作部５６に対する操作に応じて、操作部５６は所定の操作信号を生成し、生成した操作信号を制御部５０に供給する。制御部５０は、操作信号に応じた制御を実行する。
【００７８】
発光部５７は、例えば、筐体１０１に取り付けられるＬＥＤ(Light Emitting Diode)である。発光部５７は、例えば、電源のオン／オフを識別するためのＬＥＤを含む。ペアリング処理の際に、所定の発光態様で発光部５７が発光するようにしてもよい、発光部５７の発光は、例えば、制御部５０によって制御される。
【００７９】
再生装置１００の動作の概要について説明する。再生装置１００が上述したようにして、ダッシュボード１３に取り付けられる。次に、再生装置１００と携帯端末２００との間でペアリング処理が行われ、再生装置１００と携帯端末２００とがペアリングされる。ペアリング処理は、ＢＴモジュール６０の制御のもと行われる。ペアリングが確立した後に、携帯端末２００から再生装置１００に対してオーディオ信号が供給される。オーディオ信号は、例えば、通信部５２に入力される。
【００８０】
通信部５２に入力されたオーディオ信号に対して制御部５０による処理、デジタルアンプ５８，５９による増幅処理が行われる。中高音域のオーディオ信号がスピーカ１０２ａ，１０２ｂからフロントガラス１２に向けて再生される。フロントガラス１２により反射された中高音域のオーディオ信号がドライバ等に聴取される。
【００８１】
低域のオーディオ信号が振動ユニット１２０に供給される。低域のオーディオ信号に応じて振動ユニット１２０が振動する。振動ユニット１２０の振動に応じて、ダッシュボード１３が振動し、ダッシュボード１３の振動により車内に低域のオーディオ信号が再生される。
【００８２】
「携帯端末の電気的な構成について」
図１８は、携帯端末２００の構成の一例を示す。携帯端末２００は、データバス７１を備え、データバス７１に対して、制御部７２、ＢＴモジュール７３、信号処理部７４、操作部７５、表示部７６、通信部７７および記憶部７８が接続されている。
【００８３】
制御部７２は、例えば、ＣＰＵ、ＲＡＭおよびＲＯＭなどから構成されている。ＲＯＭには、ＣＰＵにより読み込まれて動作されるプログラムなどが記憶されている。ＲＡＭは、ＣＰＵのワークメモリとして用いられる。ＣＰＵは、ＲＯＭに記憶されたプログラムに従い様々な処理を実行することによって、携帯端末２００の各部および全体の制御を行う。
【００８４】
ＢＴモジュール７３は、Ｂｌｕｅｔｏｏｔｈに関する処理を実行するモジュールである。例えば、再生装置１００とのペアリング処理等のＢｌｕｅｔｏｏｔｈ通信規格に基づく処理を実行する。これらの処理が制御部７２により行われてもよい。なお、携帯端末２００には、Ｂｌｕｅｔｏｏｔｈ通信規格に基づく処理を可能とするアプリケーションがインストールされる。
【００８５】
信号処理部７４は、変復調器、Ａ／Ｄ(Analog to Digital)変換器、Ｄ／Ａ(Digital to Analog)変換器、音声コーデックなどを備えている。信号処理部７４の変復調器で、送信する音声信号を変調し、あるいは受信した信号を復調する。送信する信号は、Ａ／Ｄ変換器でデジタル信号に変換され、受信した信号はＤ／Ａ変換器でアナログ信号に変換される。そして信号処理部７４には、音声を出力するスピーカ７９と、音声を入力するマイクロホン８０とが接続されている。
【００８６】
操作部７５は、ユーザが携帯端末２００に対して各種入力を行うための入力手段である。例えば、ボタン、タッチスクリーン、スイッチなどにより構成されている。また、操作部７５は、表示部７６と一体に構成されたタッチスクリーンとして構成してもよい。操作部７５に対してユーザによる入力操作がなされると、その入力に対応した制御信号が生成され、生成された制御信号が制御部７２に出力される。そして、制御部７２によりその制御信号に対応した演算処理や制御が行われる。
【００８７】
表示部７６は、例えば、ＬＣＤ、有機ＥＬパネルなどにより構成された表示手段である。表示部７６には、携帯端末２００の各種操作のメニューを表示し、複数のアイコンが配列されたメニュー画面、楽曲リスト、再生中の楽曲情報（アーティスト名、曲名など）、動画コンテンツ、画像コンテンツなどが表示される。
【００８８】
通信部７７は、例えば、Ｂｌｕｅｔｏｏｔｈ通信規格に基づいて、再生装置１００と通信を行うための通信モジュールである。ＢＴモジュール７３により生成されたデータやコマンドが通信部７７を介して、再生装置１００に送信される。さらに、携帯端末２００が記憶するオーディオデータが通信部７７を介して、再生装置１００に対して送信される。
【００８９】
記憶部７８は、例えば、ＨＤＤ、フラッシュメモリなどの大容量記憶媒体から構成されており、携帯端末２００によって再生される楽曲などのコンテンツデータなどを保存するものである。オーディオデータは、ＷＡＶ（RIFF waveform Audio Format）、またはＭＰ３（MPEG Audio Layer-3）、ＡＡＣ（Advanced Audio Coding）などの方式で音声圧縮された状態で記憶部７８に記憶される。また、アーティスト名、アルバム名、曲名、総再生時間、再生時間情報などを含む楽曲情報もオーディオデータのメタデータとして記憶部７８に保存されている。楽曲情報は例えば、ＣＤＤＢ(Compact Disc Data Base)を利用することにより取得することができる。また、ユーザが任意に設定できるようにしてもよい。
【００９０】
スピーカ７９は音声を出力するための音声出力手段であり、信号処理部７４により所定の処理が施された音声信号などを音声として出力する。これによりユーザは通話音声、携帯端末２００に保存された音声データなどを聴取することができる。また、マイクロホン８０は通話、音声による指示入力などのために音声を携帯端末２００に入力するためのものである。マイクロホン８０から入力された音声は信号処理部７４によって所定の処理が施される。
【００９１】
以上のようにして携帯端末２００が構成されている。図示は省略しているが、携帯端末２００が撮像部や画像処理部などからなるカメラ機能や、ラジオ機能などを有する構成としてもよい。
【００９２】
「ペアリング処理について」
図１９は、再生装置１００と携帯端末２００との間で行われるペアリング処理の流れの一例を示す、シーケンス図である。
【００９３】
ステップＳ１０では、インクワイワリ（inquiry）が行われ、周辺機器が検索される。例えば、携帯端末２００に対して所定の操作がなされることにより、携帯端末２００からインクワイアリリクエストが携帯端末２００の周囲に向けて発行される。インクワイアリリクエストはペアリングの際に相手機器を探索するためのメッセージである。
【００９４】
インクワイアリリクエストを受信した再生装置１００は、インクワイアリレスポンスを送信する。インクワイアリレスポンスは自身の存在を、インクワイアリリクエストを送信した端末に通知する応答メッセージである。インクワイアリレスポンスが携帯端末２００により受信される。携帯端末２００は、受信したインクワイアリレスポンスに対応する機器を表示部７６に表示する。そして、処理がステップＳ２０に進む。
【００９５】
ステップＳ２０では、表示部７６に表示された機器のうち、再生装置１００に対応する表示を選択する操作がなされる。そして、処理がステップＳ３０に進む。
【００９６】
ステップＳ３０では、システムの同期を確立するために、ＰＡＧＥを初期化した後に、ベースバンドＡＣＬ(Asynchronous Connection Less)リンク（非同期リンク）を確立する。そして、処理がステップＳ４０に進む。
【００９７】
ステップＳ４０では、ＡＣＬリンク上でＬ２ＣＡＰ（Logical Link Control and Adaptation Protocol）チャンネルを確立し、ＳＤＰ（Service Discovery Protocol）を使用して、プロファイルなどのＢｌｕｅｔｏｏｔｈサービス情報を送信する。ＳＤＰは、再生装置１００または携帯端末２００が互いにどのようなサービスをサポートしているのか検索するために使用される。そして処理がステップＳ５０に進む。
【００９８】
ステップＳ５０では、確立したＡＣＬリンク上で、相互のリンクマネージャがＬＭＰ（Link Manager Protocol）を使用してペアリング処理を実行する。ＬＭＰは、２台のデバイス間における、Ｂｌｕｅｔｏｏｔｈ接続のすべての側面（接続、認証、暗号化、省電力制御など）を制御し、ネゴシエートするために使用される。そして、処理がステップＳ６０に進む。
【００９９】
ステップＳ６０では、携帯端末２００の操作部７５を使用して、ＰＩＮ（Personal Identify Number）コードが入力される。ＰＩＮコードは、例えば、４桁の数字である。ＰＩＮコードは、例えば、再生装置１００の取扱説明書などに記載され、ユーザに予め提供されている。ステップＳ６０において入力されたＰＩＮコードが正しければ、処理がステップＳ７０に進む。
【０１００】
ステップＳ７０では、リンクキーが生成され、ベースバンドの暗号化がなされることにより、ペアリング処理が完了する。以降は、それぞれの機器内で保存されたリンクキーをもとに通信がなされる。そして、処理がステップＳ８０に進む。
【０１０１】
ステップＳ８０では、ＬＭＰを使用して取得したサービス情報をもとにプロファイルの接続を行う。さらに、Ａ２ＤＰ（Advanced Audio Distribution Profile），ＡＶＲＣＰ（Audio/Video Remote Control Profile），ＨＦＰ（Hands Free Profile）の接続が行われる。Ａ２ＤＰは、ステレオ品質のオーディオを携帯端末２００から再生装置１００にストリーミングするために使用される。ＡＶＲＣＰは、オーディオストリーミングのリモートコントロール制御を行うために使用される。ＨＦＰは、ハンズフリー通話機能を実現するために使用される。ＨＦＰの接続が行われることにより、再生装置１００を使用したハンズフリーホンが可能となる。
【０１０２】
以上のようにして、再生装置１００と携帯端末２００との間でペアリング処理が行われる。なお、上述したペアリング処理は一例であり、公知の通信規格に基づくペアリング処理が、再生装置１００と携帯端末２００との間で行われてもよい。
【０１０３】
＜２．第２の実施形態＞
「実施形態の概要」
次に、第２の実施形態について説明する。図２０は、第２の実施形態の概要を示す。なお、第１の実施形態で説明した構成と対応する構成については、同一の参照符号を付し、重複した説明を適宜、省略する。例えば、第２の実施形態における再生装置を再生装置３００と称し、再生装置３００の構成のうち、再生装置１００と対応する構成については、同一の参照符号を付す。
【０１０４】
第２の実施形態では、ケーブル１３０を介して振動ユニット１２０と再生装置３００の筐体１０１とが接続され、ケーブル１３０を延伸させることにより振動ユニット１２０が筐体１０１の外側に取り付け可能とされる。
【０１０５】
例えば、吸盤１０３がダッシュボード１３の略中央の表面に取り付けられ、吸盤１０３に筐体１０１が取り付けられる。筐体１０１の外延によりダッシュボード１３の表面が筐体１０１の内側に位置する表面と筐体１０１の外側に位置する表面とに区画される。振動ユニット１２０は、ダッシュボード１３の略中央の表面と離隔した面（筐体１０１の外側に位置する表面）に載置される。具体的には、ダッシュボード１３の表面において、ダッシュボード１３に形成される収納空間の近傍の表面に振動ユニット１２０が載置される。なお、ダッシュボード１３に形成される収納空間は、例えば、上述したグローブボックス１３ｃである。
【０１０６】
グローブボックス１３ｃ上のダッシュボード１３の平面部１３ｅに、振動ユニット１２０が載置される。振動ユニット１２０に対して、ケーブル１３０を介して低域のオーディオ信号が供給される。低域のオーディオ信号に応じて振動ユニット１２０が振動する。振動ユニット１２０の振動による低音がグローブボックス１３ｃにより増幅され、迫力のある低音の再生を実現できる。さらに、中高音域のオーディオ信号は、ダッシュボード１３の中央からフロントガラス１２に向けて再生することができるため、広がり感のある中高音域音の再生を実現できる。
【０１０７】
「再生装置について」
図２１は、再生装置３００の外観の一例を示す、筐体１０１の背面側から見た斜視図である。再生装置３００の筐体は、第１の実施形態における再生装置１００の筐体１０１と略同様の形状とされる。
【０１０８】
上述したように、振動ユニット１２０は、ケーブル１３０を介して筐体１０１に対して接続される。ケーブル１３０は、筐体１０１の背面側に形成された開口１０１ｇを介して延伸する。ケーブル１３０の長さは、例えば、１ｍ（メートル）程度とされる。なお、筐体１０１の内側にケーブル１３０の長さを調節する機構を設け、ケーブル１３０を任意の長さに延伸することができるようにしてもよい。さらに、再生装置１００の使用後にケーブル１３０が巻き取られ、ケーブル１３０が筐体１０１の内側に収納されるようにしてもよい。
【０１０９】
再生装置３００に対する給電、吸盤１０３の形状および取付方法、吸盤１０３への筐体１０１の取付方法、再生装置３００と携帯端末２００との間でなされるペアリング処理、再生装置３００や携帯端末２００の電気的な構成や動作等については、第１の実施形態と同様であるため、重複した説明を省略する。
【０１１０】
第２の実施形態では、振動ユニット１２０をグローブボックス１３ｃの近傍の表面に載置することができる。振動ユニット１２０による振動を、グローブボックス１３ｃにより増幅させることができ、迫力のある低音を再生することができる。
【０１１１】
＜３．変形例＞
以上、本開示の複数の実施形態について説明したが、本開示は、上述した実施形態に限られることなく、種々の変形が可能である。
【０１１２】
スピーカの数は２個に限定されることはない。さらに、再生装置の筐体をダッシュボードに取り付けた場合に、スピーカの音の放射方向が車両のフロントガラスに向けばよく、スピーカの配置位置等は適宜、変更可能である。上述した第２の実施形態において、振動ユニットに対して、無線により低域のオーディオ信号が供給されるようにしてもよい。上述した第１および第２の実施形態では、先に吸盤をダッシュボードに取り付けた後に筐体を取り付けるようにしたが、吸盤および筐体を一体化した構成とし、一体化したものをダッシュボードに取り付けるようにしてもよい。
【０１１３】
実施形態および変形例における構成および処理は、技術的な矛盾が生じない範囲で適宜組み合わせることができる。例示した処理の流れにおけるそれぞれの処理の順序は、技術的な矛盾が生じない範囲で適宜、変更できる。さらに、材料や数値は一例であり、技術的な矛盾が生じない範囲において、材料や数値を適宜、選択することができる。
【０１１４】
本開示は、以下の構成をとることもできる。
（１）
被取付面の第１の位置に取り付けられる取付部と、
第１の帯域を有する第１のオーディオ信号に応じて、所定方向に向けて音響を再生するスピーカと、
前記第１の帯域より低い帯域の第２の帯域を有する第２のオーディオ信号に応じて振動し、前記被取付面の第２の位置に当接する当接面を有する振動部と
が取り付けられる筐体を備える再生装置。
（２）
前記被取付面は、車両のダッシュボードの表面であり、
前記スピーカにより前記車両のフロントガラスに向けて音響が再生される
（１）に記載の再生装置。
（３）
前記第１の位置および前記第２の位置は、前記被取付面において近接する位置である
（１）または（２）に記載の再生装置。
（４）
前記振動部に接続されるケーブルを備え、
前記振動部の前記当接面が前記第１の位置と離隔する前記第２の位置に当接する
（１）または（２）に記載の再生装置。
（５）
前記第１の位置は、車両のダッシュボードの略中央の表面であり、
前記第２の位置は、前記車両のダッシュボードの表面において、該ダッシュボードに形成される収納空間の近傍の表面である
（４）に記載の再生装置。
（６）
前記第２のオーディオ信号が前記収納空間により増幅されて再生される
（５）に記載の再生装置。
（７）
前記ケーブルが前記筐体の内側に収納可能とされる（４）乃至（６）のいずれかに記載の再生装置。
（８）
前記当接面の位置を調節する調節部を備える
（１）乃至（７）のいずれかに記載の再生装置。
（９）
前記当接面が前記第２の位置に当接した際の前記被取付面からの応力に応じて、前記振動部が変位する
（１）乃至（７）のいずれかに記載の再生装置。
（１０）
前記スピーカに対して前記第１のオーディオ信号を供給し、前記振動部に対して前記第２のオーディオ信号を供給する制御部を備える
（１）乃至（９）のいずれかに記載の再生装置。
（１１）
前記制御部は、携帯端末から供給されるオーディオ信号に所定の信号処理を施すことにより前記第１のオーディオ信号および前記第２のオーディオ信号を生成する
（１０）に記載の再生装置。
（１２）
前記筐体は、前記取付部に着脱自在に取り付けられる（１）乃至（１１）のいずれかに記載の再生装置。
【符号の説明】
【０１１５】
１２・・・フロントガラス
１３・・・ダッシュボード
１３ｃ・・・グローブボックス
５０・・・制御部
６０，７３・・・ＢＴモジュール
１００，３００・・・再生装置
２００・・・携帯端末
１０１・・・筐体
１０２ａ，１０２ｂ・・・スピーカ
１０３・・・吸盤
１２０・・・振動ユニット
【図１】
2014093597.tif 000003
【図２】
2014093597.tif 000004
【図３】
2014093597.tif 000005
【図４】
2014093597.tif 000006
【図５】
2014093597.tif 000007
【図６】
2014093597.tif 000008
【図７】
2014093597.tif 000009
【図８】
2014093597.tif 000010
【図９】
2014093597.tif 000011
【図１０】
2014093597.tif 000012
【図１１】
2014093597.tif 000013
【図１２】
2014093597.tif 000014
【図１３】
2014093597.tif 000015
【図１４】
2014093597.tif 000016
【図１５】
2014093597.tif 000017
【図１６】
2014093597.tif 000018
【図１７】
2014093597.tif 000019
【図１８】
2014093597.tif 000020
【図１９】
2014093597.tif 000021
【図２０】
2014093597.tif 000022
【図２１】
2014093597.tif 000023